(57)【要約】【課題】左右の後身頃を綺麗に人体に沿わせることができ、ウエストからヒップにかけての後ろ姿の形状が美しいものになり、着用者の活動性も阻害することが少ないエプロンの提供を図る。【解決手段】着用者の前部を覆う前身頃２と、前身頃２の左右から延設された左右の後身頃３、４とを備えた身頃地１と、各後身頃３、４の左右の腰部に設けられた左右の腰紐５、６とを備える。左右の後身頃３、４の少なくとも一部が互いに重ねられて着用されるもので、身頃地１の腰部に身頃地１の表裏を貫通する紐挿通部７が形成され、内側の後身頃４の腰紐６を、紐挿通部７から外側へ引き出して、腰に回して固定する。左右の腰紐５、６は、左右の後身頃３、４から斜め上方に向かって伸びていることが望ましい。【選択図】          図４
2007023447.tif 000002
【特許請求の範囲】
【請求項１】
着用者の前部を覆う前身頃と、前身頃の左右から延設された左右の後身頃とを有する身頃地と、各後身頃の左右の腰部に設けられた左右の腰紐とを備え、左右の後身頃の少なくとも一部が互いに重ねられて着用されるエプロンにおいて、
身頃地の腰部に身頃地の表裏を貫通する紐挿通部が形成され、
内外に重ねられた左右の後身頃のうち、内側の後身頃に設けられた腰紐の基端側を、外側の後身頃の内側に配置し、当該腰紐の先端側を紐挿通部から外側へ引き出して、左右の腰紐同士を着用者の腰に回して固定するようにしたことを特徴とするエプロン。
【請求項２】
左右の腰紐が、左右の後身頃から斜め上方に向かって伸びているものであることを特徴とする請求項１記載のエプロン。
【発明の詳細な説明】
【技術分野】
【０００１】
本願発明は、エプロンに関するものである。
【背景技術】
【０００２】
エプロンは、体の前部を覆う前身頃の左右の上端に腰紐を取り付け、この腰紐を体の後ろで結んで着用するものが、最も一般的である。これに対して、特許文献１にあっては、本願の図８に示すように、エプロンの身頃地１０１が、体の前面を覆う前身頃１０２と、その左右から延設され体の後面を覆う後身頃１０３、１０４を有しており、後身頃１０３、１０４を体の後部で二重に重ねて装着するようになった看護者用エプロンが開示されている。このエプロンは、身頃地１０１の上縁に沿って腰紐１０５、１０６が左右に水平方向に設けられ、装着時に体に巻き付け固定するものである。
【０００３】
この特許文献１のエプロンは、上記のように身頃地１０１の上縁に沿って腰紐１０４、１０５が左右に水平方向に設けられているにすぎないため、装着時に体に巻き付けて固定するには、内側に重ねられた後身頃１０３の上端を、外側に重ねられた後身頃１０４の上端からはみ出すようにして、腰に巻き付ける（図９（Ａ））。そして、図９（Ｂ）に示すように、内側の後身頃１０３の上端を下方に折り返して、両腰紐１０５、１０６を前に回して結ぶこととなる。
【０００４】
ところが、このように、内側の後身頃１０３の上端を、外側の後身頃１０４の上端からはみ出すようにすると、身頃地１０１の自然な全体形状は、図９（Ａ）に示すように、内側の後身頃１０３が斜めになってしまう。その結果、上端の腰回りの寸法ａが、下端の裾回りの寸法ｂよりも小さくなってしまうものであり、逆円錐台形状となってしまう。
【０００５】
他方、人体の立体形状は、ウエストの寸法より、ヒップの寸法が大きくなっており、ドロップ（ウエストの寸法とヒップの寸法との差）が付いるものである。
【０００６】
このように、特許文献１のエプロンにあっては、身頃地１０１の自然な全体形状が逆円錐台形状となってしまうため、人体の形状とは全く反対の形状を示すものとなってしまうものである。従って、これを無理矢理、人が着用した場合には、その無理がウエストやヒップの生地のだぶつきや無理な張りとして現れてしまい、ウエストからヒップにかけての形状、特に後ろ姿の形状が汚くなってしまうことが避けられないことは勿論、着用者の活動性も悪くなってしまう。
【０００７】
【特許文献１】登録実用新案第３１０５０４８号公報
【発明の開示】
【発明が解決しようとする課題】
【０００８】
本願発明の目的は、左右の後身頃を綺麗に人体に沿わせることができ、ウエストからヒップにかけての後ろ姿の形状が美しいものになり、着用者の活動性も阻害することが少ないエプロンを提供することにある。特に、人体のドロップ（ウエストの寸法とヒップの寸法との差）に適合し易い状態で着用することができるエプロンを提供せんとするものである。
【課題を解決するための手段】
【０００９】
本願の請求項１に係る発明は、着用者の前部を覆う前身頃２と、前身頃２の左右から延設された左右の後身頃３、４とを有する身頃地１と、各後身頃３、４の左右の腰部に設けられた左右の腰紐５、６とを備え、左右の後身頃３、４の少なくとも一部が互いに重ねられて着用されるエプロンにおいて、身頃地の腰部に身頃地１の表裏を貫通する紐挿通部７が形成され、内外に重ねられた左右の後身頃３、４のうち、内側の後身頃４に設けられた腰紐６の基端側を、外側の後身頃３の内側に配置し、当該腰紐６の先端側を紐挿通部７から外側へ引き出して、左右の腰紐５、６同士を着用者の腰に回して固定するようにしたことを特徴とするエプロンを提供することにより、上記の課題を解決する。
本願の請求項２に係る発明は、左右の腰紐５、６が、左右の後身頃３、４から斜め上方に向かって伸びているものであることを特徴とする請求項１記載のエプロンを提供する。
【発明の効果】
【００１０】
本願発明のエプロンにあっては、内側の後身頃３、４に設けられた腰紐５、６の基端側を、外側の後身頃３、４の内側に配置し、当該腰紐５、６の先端側を紐挿通部７から外側の後身頃の外側へ引き出して、左右の腰紐５、６同士を着用者の腰に回して固定するようにしたものであるため、身頃地の自然な全体形状が逆円錐形になってしまうことを防止できる。従って、従来のものに比して、左右の後身頃を綺麗に人体に沿わせることができ、ウエストからヒップにかけての後ろ姿の形状が美しいものになり、着用者の活動性を阻害することも防止できる。
特に、左右の腰紐５、６が、左右の後身頃３、４から斜め上方に向かって伸びるようにすることによって、身頃地の自然状態が円錐台形状となり、人体のドロップ（ウエストの寸法とヒップの寸法との差）に適合し易い状態で着用することができるものである。
【発明を実施するための最良の形態】
【００１１】
以下、図面に基づき本願発明の実施の形態を説明する。
図１は第１の実施の形態に係るエプロンの正面図であり、図２は同エプロンの後方から見た使用状態の説明図である。なお、以下、本願の説明では、左右は、着用者から見ての左右とするが、その左右は逆にして実施することも可能である。
【００１２】
この例のエプロンは、下半身のみを覆う前掛け式のエプロンで、着用者の前部を覆う前身頃２と、前身頃２の左右から延設された左右の後身頃３、４とを備えた身頃地１と、左右の後身頃３、４の左右両端の腰部に設けられた左右の腰紐５、６とを備える。この例では、左右の腰紐５、６の基端は、左右の後身頃３、４の左右両端辺の上端に固定されており、左右の腰紐５、６が、左右の後身頃３、４から真横（水平方向）に伸びるようになされている。なお、この固定は、縫製などによる完全な固定であってもよく、ボタンや金具、合成樹脂製の係合具などで、着脱可能に固定するものであってもよい。また、例えば、リングを後身頃３、４に取り付け、このリングに沿って回動できるように左右の腰紐５、６を接続するなどして、回動可能に固定するものであってもよい。
【００１３】
身頃地１は、１枚の連続したものとして、前身頃２と左右の後身頃３、４との境がないものであってもよく、前身頃２と左右の後身頃３、４とを別生地で作って縫着するようにしてもよい。左右の後身頃３、４は、着用時に、その左右端寄り部分が互いに重ねられて着用される大きさに設定されており、具体的には、左後身頃３の左端から右後身頃４の右端までの長さを９０〜１２０cm程度とすることが望ましい。左右は、何れの後身頃３、４を上に重ねてもよいが、この例では、右後身頃４を内側に、その外側に左後身頃３が重ねられるようにしている。また、左右の後身頃３、４の少なくとも一部が重なり合うことを条件に、両者の長さを異なるものとしてよい。
【００１４】
身頃地１の腰部（この例では上端付近、言い換えれば腰紐５、６の基端と略同じ高さ）に身頃地１の表裏を貫通する紐挿通部７が形成されている。この紐挿通部７は、身頃地１の左右いずれか一方（この例では左腰の付近）に設けられているが、左右両側に設けるようにすれば、どちらの後身頃３、４を内側にしても着用できるものとなる。
【００１５】
着用に際しては、内外に重ねられた左右の後身頃３、４のうち、内側の後身頃３、４（この例では右後身頃４）に設けられた腰紐６の基端側を、外側の後身頃３、４（この例では左前身頃３）の内側に配置し、当該腰紐６の先端側を紐挿通部７から外側へ引き出す。他方、外側の後身頃３、４（この例では左前身頃３）の腰紐５は、通常通り、後から前に回して、両腰紐５、６を体の前等の適宜位置で結んで固定する。この固定は、結びによる固定の他、適当な着脱可能な固定具を用いて行っても良い。
【００１６】
なお、紐挿通部７は、前身頃２の左端（又は右端）寄りの位置、前身頃２と左後身頃３（又は右後身頃４）との境界位置、左後身頃３の右端寄り（又は右後身頃４の左端寄り）の位置に設けるのが適当であるが、内側の後身頃に設けられた腰紐を、外側に引き出して腰に回せることを条件に、その位置は適宜変更して実施し得る。また、紐挿通部７の形状は、ボタンホール形状などの周囲が閉ざされた穴とすることが最も望ましいが、例えば、身頃地２の上端から下方に設けた切り込みとするなど、内側から外側に腰紐を引き出し得ることを条件に適宜変更して実施し得る。
【００１７】
このように、本願発明では、内側の後身頃３、４に設けられた腰紐５、６の基端側を、外側の後身頃３、４の内側に配置し、当該腰紐５、６の先端側を紐挿通部７から外側の後身頃の外側へ引き出して、左右の腰紐５、６同士を着用者の腰に回して固定するようにしたものである。この例では、腰紐５、６は真横に伸ばされたているため、身頃地の自然な全体形状としては、上端の腰回りの寸法ａが、下端の裾回りの寸法ｂと略等しくなり、全体として円筒形になる。その結果、逆円錐台形状であった従来のこの種のエプロンに比して、人体の形状に近づいたものである。よって、従来のものに比して、左右の後身頃を綺麗に人体に沿わせることができ、ウエストからヒップにかけての後ろ姿の形状が美しいものになり、着用者の活動性を阻害することも防止できる。なお、従来の図９（Ｂ）に示したように、後身頃１０３の上端を折り返すなどと言ったことも不要となり、腰紐自体についても、綺麗に腰に巻くことができる。
【００１８】
次に、図３は第２の実施の形態に係るエプロンの正面図であり、図４は同エプロンの後方から見た使用状態の説明図である。この例では、第１の実施の形態に比して、より人体の形状に近づけることができる例で、人体のドロップ（ウエストの寸法とヒップの寸法との差）により一層適合し易い状態で着用することができるものである。なお、両者の相違点を中心に説明し、第１の実施の形態と同様の部分については、同じ符号を付し、説明を省略するが、変更例も含めて、第１の実施の形態の説明は、この第２の実施の形態以降の各実施の形態についても適用されるものである。
【００１９】
先の実施例の形態は、腰紐を水平方向に伸ばすものであったが、この実施の形態にあっては、左右の腰紐５、６が、左右の後身頃３、４から斜め上方に向かって伸びるようにしたものである。具体的には、左腰紐５が左後身頃３から左斜め上方に向かって伸び、右腰紐６が右後身頃４から右斜め上方に向かって伸びるようにしたもので、水平方向と腰紐とのなす角度αは４０度とされている。この角度αは、先の例では０度であり、この度数が大きくなるに従って、人体のドロップ（ウエストの寸法とヒップの寸法との差）により適合し易くなる。この角度は、適宜変更して実施し得るが、望ましい角度は１０〜６０、より望ましくは２０〜５０度である。
【００２０】
このエプロンは、図４に示すように、腰紐５、６を自然に人体に巻き付けると、後身頃３、４がハの字状に広がり、身頃地の自然な全体形状としては、上端の腰回りの寸法ａが、下端の裾回りの寸法ｂよりも小さくなり、全体として円錐台形状になる。その結果、逆円錐台形状であった従来のこの種のエプロンに比して、さらには円筒形状であった先の例に比して、より一層人体の形状に近づいたものである。よって、従来のものに比して、左右の後身頃がより綺麗に人体に沿うことになり、ウエストからヒップにかけての後ろ姿の形状が美しく、着用者も活動し易いものになる。
【００２１】
この実施の形態のエプロンは、店舗ユニフォームとして特に設計されたものであり、図中、７、８はポケット、９は備品係止用のループ、１０は吊り下げ紐を示すが、通常のエプロンとして、また介護師など種々の職場用のエプロンとしても適用できる。
【００２２】
また、身頃地１の形態も適宜変更して実施することができるものであり、上記の各実施例のような長方形の他、図５に示すように、逆台形のものであってもよく、適宜位置にスリットを入れるようにしてもよく、外周線を湾曲させてアールを付けたものでもよい。
【００２３】
さらに、図６に示すように、胸部を覆う上半身用身頃１１を設けたものであってよい。この場合、図６の例では、上半身用身頃１１の上部に肩紐１２を設けて、首に掛けるようにしているのは、従来のエプロンと同様である。
【００２４】
またさらに、図７に示すものも、胸部を覆う上半身用身頃１１を設けたものであるが、肩紐が一方の肩（この例では、左肩）から掛けるようにしたもので、上半身用身頃１１の上端からは肩紐１２が延設され、その先端を止める係止具（この例では、ボタン１３）が右後身頃４の上端に２個設けられており、そのいずれかを、肩紐１２の先端のボタンホールに通して着脱可能に固定するものである。
【００２５】
以上、本願発明は、請求項に記載の条件の範囲内で、適宜変更して実施することができるもので、袖付きのエプロ
ンとして実施することも可能であり、身頃地や腰紐の材質や固定方法なども適宜変更して実施できる。
【図面の簡単な説明】
【００２６】
【図１】本願発明の第１の実施の形態に係るエプロンの正面図である。
【図２】同エプロンの後方から見た使用状態の説明図である。
【図３】本願発明の第２の実施の形態に係るエプロンの正面図である。
【図４】同エプロンの後方から見た使用状態の説明図である。
【図５】本願発明の第３の実施の形態に係るエプロンの正面図である。
【図６】本願発明の第４の実施の形態に係るエプロンの正面図である。
【図７】本願発明の第５の実施の形態に係るエプロンの正面図である。
【図８】従来のエプロンの正面図である。
【図９】（Ａ）（Ｂ）はそれぞれ同エプロンの後方から見た使用状態の説明図である。
【符号の説明】
【００２７】
１    身頃地
２    前身頃
３    左後身頃
４    右後身頃
５    左腰紐
６    右腰紐
７    紐挿通部
【図１】
2007023447.tif 000003
【図２】
2007023447.tif 000004
【図３】
2007023447.tif 000005
【図４】
2007023447.tif 000006
【図５】
2007023447.tif 000007
【図６】
2007023447.tif 000008
【図７】
2007023447.tif 000009
【図８】
2007023447.tif 000010
【図９】
2007023447.tif 000011